(57)【要約】【課題】常温で固体の動植物油脂を基調とするバイオマス燃料を石油火力発電所で重油と混焼できるバイオマス混合燃料燃焼装置を提供することである。【解決手段】常温で固体のＨＰＰ重油を加温して液体で貯蔵したＨＰＰ重油タンク１６から液体のＨＰＰ重油をＨＰＰ重油サービスタンク１２に移送して貯蔵する。一方、常温で固体の動植物油脂を基調とするバイオマス燃料をＨＰＰ重油とほぼ同じ温度で加温して液体でバイオマス燃料タンク１１に貯蔵し、バイオマス燃料注入ライン１３からＨＰＰ重油サービスタンク１２にバイオマス燃料を供給し、ＨＰＰ重油とバイオマス燃料とが混合されたバイオマス重油混合燃料をＨＰＰ重油サービスタンク１２に貯蔵する。そして、ＨＰＰ重油サービスタンク１２に貯蔵されたバイオマス重油混合燃料をＨＰＰ重油噴燃ポンプ１９でボイラ２１のバーナ２２に供給する。【選択図】  図１
2007255773.tif 000002
【特許請求の範囲】
【請求項１】
常温で固体のＨＰＰ重油を加温して液体で貯蔵するＨＰＰ重油タンクと、前記ＨＰＰ重油タンクから移送されたＨＰＰ重油を加温して液体で貯蔵するＨＰＰ重油サービスタンクと、常温で固体の動植物油脂を基調とするバイオマス燃料を前記ＨＰＰ重油とほぼ同じ温度で加温して液体で貯蔵するバイオマス燃料タンクと、前記ＨＰＰ重油サービスタンクに前記バイオマス燃料タンクから前記バイオマス燃料を供給するバイオマス燃料注入ラインと、前記ＨＰＰ重油サービスタンクに貯蔵されたＨＰＰ重油と前記バイオマス燃料注入ラインから供給されたバイオマス燃料とが混合されたバイオマス重油混合燃料を前記ＨＰＰ重油サービスタンクから送出するＨＰＰ重油噴燃ポンプと、前記ＨＰＰ重油噴燃ポンプで送出されたバイオマス重油混合燃料を燃焼させるバーナとを備えたことを特徴とするバイオマス混合燃料燃焼装置。
【請求項２】
常温で固体のＨＰＰ重油を加温して液体で貯蔵するＨＰＰ重油タンクと、前記ＨＰＰ重油タンクから移送されたＨＰＰ重油を加温して液体で貯蔵するＨＰＰ重油サービスタンクと、前記ＨＰＰ重油サービスタンクに貯蔵されたＨＰＰ重油を前記ＨＰＰ重油サービスタンクから送出するＨＰＰ重油噴燃ポンプと、常温で固体の動植物油脂を基調とするバイオマス燃料を前記ＨＰＰ重油とほぼ同じ温度で加温して液体で貯蔵するバイオマス燃料タンクと、前記バイオマス燃料タンクから移送されたバイオマス燃料を前記ＨＰＰ重油とほぼ同じ温度で加温して液体で貯蔵するバイオマス燃料サービスタンクと、前記バイオマス燃料サービスタンクに貯蔵されたバイオマス燃料を前記バイオマス燃料サービスタンクから送出するバイオマス燃料噴燃ポンプと、前記ＨＰＰ重油噴燃ポンプで送出されたＨＰＰ重油と前記バイオマス燃料噴燃ポンプで送出されたバイオマス燃料とを混合する混合機と、前記混合機で得られたバイオマス重油混合燃料を燃焼させるバーナとを備えたことを特徴とするバイオマス混合燃料燃焼装置。
【請求項３】
常温で固体のＨＰＰ重油を加温して液体で貯蔵するＨＰＰ重油タンクと、前記ＨＰＰ重油タンクから移送されたＨＰＰ重油を加温して液体で貯蔵するＨＰＰ重油サービスタンクと、前記ＨＰＰ重油サービスタンクに貯蔵されたＨＰＰ重油を前記ＨＰＰ重油サービスタンクから送出するＨＰＰ重油噴燃ポンプと、前記ＨＰＰ噴燃ポンプで送出されたＨＰＰ重油を燃焼させるバーナとを備えた燃料燃焼装置において、常温で固体の動植物油脂を基調とするバイオマス燃料を前記ＨＰＰ重油とほぼ同じ温度で加温して液体で貯蔵するバイオマス燃料タンクと、前記バイオマス燃料タンクから移送されたバイオマス燃料を前記ＨＰＰ重油とほぼ同じ温度で加温して液体で貯蔵するバイオマス燃料サービスタンクと、前記バイオマス燃料サービスタンクに貯蔵されたバイオマス燃料を前記バイオマス燃料サービスタンクから送出するバイオマス燃料噴燃ポンプと、前記ＨＰＰ重油タンクから前記バーナまでのＨＰＰ重油供給系統のいずれかの箇所に前記バイオマス燃料サービスタンクから前記バイオマス燃料を供給するバイオマス燃料注入ラインと、前記ＨＰＰ重油供給系統と前記バイオマス燃料注入ラインとが合流する箇所にＨＰＰ重油とバイオマス燃料とを混合させる混合機とを設けたことを特徴とするバイオマス混合燃料燃焼装置。
【請求項４】
前記バイオマス燃料は、パームステアリンまたはラードであることを特徴とする請求項１ないし３のいずれか一記載のバイオマス混合燃料燃焼装置。
【発明の詳細な説明】
【技術分野】
【０００１】
本発明は、化石燃料とバイオマス燃料とを混合して燃焼させるバイオマス混合燃料燃焼装置に関する。
【背景技術】
【０００２】
一般に、バイオマス燃料は、木、家畜の糞、廃棄物の中でも紙など元々生物からできたものをエネルギーとして利用するものである。一方、現在、常温では固体の動植物油脂の一例としてパームステアリンというものがある。パームステアリンは、パームの果肉から採取した油に必要に応じて溶剤等を加えて冷却した後に分離操作を行って分離して得たものであり、一般に食用として用いられ（例えば、特許文献１参照）、あるいは石鹸の材料として用いられる（例えば、特許文献２参照）。
【０００３】
パームステアリンは、粗パーム油を生成する過程で生じる常温で固体の油脂であり、単位発熱量は重油や原油に比べて低いものの硫黄分が少ないという特徴があるので、例えば、石油火力発電所の燃料としても使用できる。最近、ＲＰＳ（Renewables Portfolio Standard ）法の基準利用量達成に寄与することを目的に、油椰子残渣を石炭火力発電所や石油火力発電所で混焼させることが考えられているが、パームステアリンもその候補の一つとして挙げられている。以下の説明では、石油火力発電所の燃料である重油には、重油だけでなく原油も含めて重油ということにする。
【特許文献１】特開平９−２２４５７０号公報
【特許文献２】特開平８−２６９４９７号公報
【発明の開示】
【発明が解決しようとする課題】
【０００４】
しかし、パームステアリンは、一般に食用として使用され石油火力発電所で重油と混焼させるという概念がなかったため、どのようにして混焼させるかを検討しなければならない。既存の重油種や原油と混合させて燃焼させる混合系統、もしくは既存の重油種や原油とは独立した別系統にて燃焼させることが考えられる。
【０００５】
重油と混合して燃焼させる場合には、パームステアリンは常温では固体であるため、常温にて保管等を実施する油種とは容易に混合できないという課題がある。例えば、常温にて保管等を実施する油種として、流動点が低い重油（以下、ＬＰＰ重油という）をパームステアリンと混合した場合にはシャーベット状になってしまい、燃料としての取り扱いが困難になってしまう。
【０００６】
また、重油と混合させないで別系統にて燃焼させる場合には、直接ボイラにパームステアリンを投入することになるので、パームステアリンを加温設備のついた専用保管タンクで保管し専用の配管系統でボイラに供給し専用のバーナーで燃焼させることが必要となる。従って、コストが上昇してしまうという課題がある。
【０００７】
このように、常温で固体の動植物油脂を基調とするバイオマス燃料を石油火力発電所で重油と混焼させるにあたって、バイオマス燃料を重油に混合させて燃焼させる混合系統では、常温にて保管等を実施する油種とは容易に混合できないという課題があり、また、重油と混合させないで別系統にて燃焼させる場合には、バイオマス燃料を取り扱う専用の設備が必要となりコスト高となる。
【０００８】
本発明の目的は、常温で固体の動植物油脂を基調とするバイオマス燃料を石油火力発電所で重油と混焼させることができるバイオマス混合燃料燃焼装置を提供することである。
【課題を解決するための手段】
【０００９】
請求項１の発明に係わるバイオマス混合燃料燃焼装置は、常温で固体のＨＰＰ重油を加温して液体で貯蔵するＨＰＰ重油タンクと、前記ＨＰＰ重油タンクから移送されたＨＰＰ重油を加温して液体で貯蔵するＨＰＰ重油サービスタンクと、常温で固体の動植物油脂を基調とするバイオマス燃料を前記ＨＰＰ重油とほぼ同じ温度で加温して液体で貯蔵するバイオマス燃料タンクと、前記ＨＰＰ重油サービスタンクに前記バイオマス燃料タンクから前記バイオマス燃料を供給するバイオマス燃料注入ラインと、前記ＨＰＰ重油サービスタンクに貯蔵されたＨＰＰ重油と前記バイオマス燃料注入ラインから供給されたバイオマス燃料とが混合されたバイオマス重油混合燃料を前記ＨＰＰ重油サービスタンクから送出するＨＰＰ重油噴燃ポンプと、前記ＨＰＰ重油噴燃ポンプで送出されたバイオマス重油混合燃料を燃焼させるバーナとを備えたことを特徴とする。
【００１０】
請求項２の発明に係わるバイオマス混合燃料燃焼装置は、常温で固体のＨＰＰ重油を加温して液体で貯蔵するＨＰＰ重油タンクと、前記ＨＰＰ重油タンクから移送されたＨＰＰ重油を加温して液体で貯蔵するＨＰＰ重油サービスタンクと、前記ＨＰＰ重油サービスタンクに貯蔵されたＨＰＰ重油を前記ＨＰＰ重油サービスタンクから送出するＨＰＰ重油噴燃ポンプと、常温で固体の動植物油脂を基調とするバイオマス燃料を前記ＨＰＰ重油とほぼ同じ温度で加温して液体で貯蔵するバイオマス燃料タンクと、前記バイオマス燃料タンクから移送されたバイオマス燃料を前記ＨＰＰ重油とほぼ同じ温度で加温して液体で貯蔵するバイオマス燃料サービスタンクと、前記バイオマス燃料サービスタンクに貯蔵されたバイオマス燃料を前記バイオマス燃料サービスタンクから送出するバイオマス燃料噴燃ポンプと、前記ＨＰＰ重油噴燃ポンプで送出されたＨＰＰ重油と前記バイオマス燃料噴燃ポンプで送出されたバイオマス燃料とを混合する混合機と、前記混合機で得られたバイオマス重油混合燃料を燃焼させるバーナとを備えたことを特徴とする。
【００１１】
請求項３の発明に係わるバイオマス混合燃料燃焼装置は、常温で固体のＨＰＰ重油を加温して液体で貯蔵するＨＰＰ重油タンクと、前記ＨＰＰ重油タンクから移送されたＨＰＰ重油を加温して液体で貯蔵するＨＰＰ重油サービスタンクと、前記ＨＰＰ重油サービスタンクに貯蔵されたＨＰＰ重油を前記ＨＰＰ重油サービスタンクから送出するＨＰＰ重油噴燃ポンプと、前記ＨＰＰ噴燃ポンプで送出されたＨＰＰ重油を燃焼させるバーナとを備えた燃料燃焼装置において、常温で固体の動植物油脂を基調とするバイオマス燃料を前記ＨＰＰ重油とほぼ同じ温度で加温して液体で貯蔵するバイオマス燃料タンクと、前記バイオマス燃料タンクから移送されたバイオマス燃料を前記ＨＰＰ重油とほぼ同じ温度で加温して液体で貯蔵するバイオマス燃料サービスタンクと、前記バイオマス燃料サービスタンクに貯蔵されたバイオマス燃料を前記バイオマス燃料サービスタンクから送出するバイオマス燃料噴燃ポンプと、前記ＨＰＰ重油タンクから前記バーナまでのＨＰＰ重油供給系統のいずれかの箇所に前記バイオマス燃料サービスタンクから前記バイオマス燃料を供給するバイオマス燃料注入ラインと、前記ＨＰＰ重油供給系統と前記バイオマス燃料注入ラインとが合流する箇所にＨＰＰ重油とバイオマス燃料とを混合させる混合機とを設けたことを特徴とする。
【００１２】
請求項４の発明に係わるバイオマス混合燃料燃焼装置は、請求項１ないし３のいずれか一の発明において、前記バイオマス燃料は、パームステアリンまたはラードであることを特徴とする。
【発明の効果】
【００１３】
本発明によれば、ＨＰＰ重油タンクに貯蔵された液体のＨＰＰ重油と、ＨＰＰ重油とほぼ同じ温度の動植物油脂を基調とする液体のバイオマス燃料とは混合性および流動性が良く、しかも混合したバイオマス重油混合燃料は層状に分離しないことの知見により、液体のＨＰＰ重油と液体のバイオマス燃料と混合し、既存のボイラのバーナで燃焼させるので、追加の設備を節約してバイオマス燃料を火力発電に使用できる。また、液体のＨＰＰ重油と液体のバイオマス燃料とを混合するだけであるので、発電した電力量のバイオマス燃料の比率をＲＰＳ法の義務履行量としてカウントすることも容易となる。
【発明を実施するための最良の形態】
【００１４】
（第１の実施の形態）
図１は本発明の第１の実施の形態に係わるバイオマス混合燃料燃焼装置の構成図である。既存の重油を燃料とする燃料燃焼装置に、バイオマス燃料タンク１１と、バイオマス燃料タンク１１から既存のＨＰＰ重油供給系統のＨＰＰ重油サービスタンク１２にバイオマス燃料を供給するバイオマス燃料注入ライン１３とを追加して設けたものである。バイオマス燃料注入ライン１３には、バイオマス燃料移送ポンプ１４及びバルブ１５が設けられている。
【００１５】
既存の重油を燃料とする燃料燃焼装置は、常温で固体のＨＰＰ（High pour point）重油を扱うＨＰＰ重油供給系統と、常温で液体のＬＰＰ（Low pour point）重油を扱うＬＰＰ重油供給系統とを有している。
【００１６】
ＨＰＰ重油供給系統は、常温で固体のＨＰＰ重油を加温して液体で貯蔵するＨＰＰ重油タンク１６と、ＨＰＰ重油タンク１６からＨＰＰ重油移送ポンプ１７及びバルブ１８を介して移送されたＨＰＰ重油を一時的に貯蔵するＨＰＰ重油サービスタンク１２とを有し、ＨＰＰ重油サービスタンク１２からＨＰＰ重油噴燃ポンプ１９及びバルブ２０を介してボイラ２１のバーナ２２にＨＰＰ重油を供給する。このＨＰＰ重油供給系統のＨＰＰ重油タンク１６では、常温で固体のＨＰＰ重油を約６０℃で加温して液体で貯蔵している。
【００１７】
ＬＰＰ重油供給系統は、常温で液体のＬＰＰ重油を貯蔵するＬＰＰ重油タンク２３と、ＬＰＰ重油タンク２３からＬＰＰ重油移送ポンプ２４及びバルブ２５を介して移送されたＬＰＰ重油を一時的に貯蔵するＬＰＰ重油サービスタンク２６とを有し、ＬＰＰ重油サービスタンク２６からＬＰＰ重油噴燃ポンプ２７及びバルブ２８を介してボイラ２１のバーナ２２にＬＰＰ重油を供給する。そして、こららのＨＰＰ重油供給系統とＬＰＰ重油供給系統とを切り替えて、いずれか一方の系統からボイラ２１のバーナ２２に燃料を供給するようにしている。
【００１８】
次に、バイオマス燃料タンク１１においては、常温で固体のバイオマス燃料、例えばパームステアリンを約６０℃で加温して液体で貯蔵している。そして、このバイオマス燃料タンク１１から既存のＨＰＰ重油供給系統のＨＰＰ重油サービスタンク１２に、バイオマス燃料注入ライン１３を介してバイオマス燃料を供給し、ＨＰＰ重油サービスタンク１２で約６０℃の重油と約６０℃のパームステアリンを混合させる。
【００１９】
すなわち、本発明の第１の実施の形態では、約６０℃のＨＰＰ重油と約６０℃のパームステアリンとを混合し加熱保持した場合には、それぞれの油が分離することなく混合性がよいことの知見に基づき、既存の加温設備の付いたＨＰＰ重油サービスタンク１２にて二つの燃料を混合することとした。
【００２０】
しかも、パームステアリンは、ＨＰＰ重油の９割程度の単位発熱量を有することから、ＨＰＰ重油にパームステアリンを混合したバイオマス重油混合燃料を使用したとしても、石油火力発電所としては出力１００％（定格出力）を維持できる。例えば、パームステアリンとＨＰＰ重油との混合比率を１：９とした場合に、出力１００％を得るためには、パームステアリンがＨＰＰ重油の９割程度の単位発熱量であることから、パームステアリンの流量を１／０．９（約１．１１）としなければならないことになるが、その場合に、全体としての燃料流量の増加は０．１１である。ＨＰＰ重油サービスタンク１２からボイラ２１のバーナ２２へのラインは余裕を持って設計されていることから、ＨＰＰ重油単独の燃料の場合に比較し０．１１増のバイオマス重油混合燃料となっても十分余裕を持って供給できる。
【００２１】
図１ではＨＰＰ重油供給系統からボイラ２１のバーナ２２に燃料を供給している場合を示しており、白抜きで示すバルブ１５、１８、２０は開いており、黒塗り潰しで示すバルブ２５、２８は閉じている。つまり、ＨＰＰ重油供給系統からボイラ２１のバーナ２２に燃料を供給している状態でバイオマス燃料タンク１１からバイオマス燃料注入ライン１３を介してＨＰＰ重油サービスタンク１２にバイオマス燃料を供給する。また、バイオマス燃料としては植物性のパームステアリンだけでなく、動物性の油脂、例えば豚脂を生成したラードを用いることも可能である。
【００２２】
第１の実施の形態によれば、ＨＰＰ重油タンク１６に貯蔵された液体のＨＰＰ重油とほぼ同じ温度で動植物油脂を基調とする液体のバイオマス燃料をバイオマス燃料タンク１１に貯蔵するので、液体のＨＰＰ重油と液体のバイオマス燃料との混合性や流動性が良く、しかも混合したバイオマス重油混合燃料は層状に分離しない。また、液体のバイオマス燃料をバイオマス燃料注入ライン１３を介してＨＰＰ重油サービスタンク１２に導き、液体のＨＰＰ重油と混合させて既存のボイラのバーナで燃焼させるので、ボイラにバイオマス燃料を導く専用の配管系統や専用のバーナを設置しなくてもよい。つまり、追加の設備を最小限に抑えてバイオマス燃料を火力発電に用いることができる。
【００２３】
また、バイオマス燃料注入ライン１３を介してＨＰＰ重油サービスタンク１２に供給されるバイオマス燃料の計測は容易に行えるので、発電した電力量のバイオマス燃料の比率をＲＰＳ法の義務履行量としてカウントすることも容易となる。
【００２４】
（第２の実施の形態）
図２は本発明の第２の実施の形態に係わるバイオマス混合燃料燃焼装置の構成図である。この第２の実施の形態は、図１に示した第１の実施の形態に対し、バイオマス燃料タンク１１から既存のＨＰＰ重油供給系統のＨＰＰ重油サービスタンク１２にバイオマス燃料を供給することに代えて、バイオマス燃料サービスタンク２９、バイオマス燃料噴燃ポンプ３０、バルブ３１を設け、さらに、ＨＰＰ重油とバイオマス燃料とを混合する混合機３２を設けたものである。図１と同一要素には同一符号を付し重複する説明は省略する。
【００２５】
バイオマス燃料注入ライン１３には、バイオマス燃料移送ポンプ１４及びバルブ１５に加え、バイオマス燃料サービスタンク２９、バイオマス燃料噴燃ポンプ３０、バルブ３１が設けられている。バイオマス燃料サービスタンク２９は、バイオマス燃料タンク１１からバイオマス燃料移送ポンプ１４及びバルブ１５を介して移送されたバイオマス燃料を加温して液体で貯蔵する。この場合、ＨＰＰ重油とほぼ同じ温度、例えば６０℃で加温しバイオマス燃料を液体で貯蔵する。
【００２６】
バイオマス燃料サービスタンク２９に貯蔵されたバイオマス燃料は、バイオマス燃料噴燃ポンプ３０及びバルブ３１を介して混合機３２に供給され、この混合機３２でＨＰＰ重油とバイオマス燃料とが混合されてバイオマス重油混合燃料となり、ボイラ２１のバーナ２２に供給される。
【００２７】
すなわち、混合機３２には、ＨＰＰ重油噴燃ポンプ１９で送出された約６０℃のＨＰＰ重油と、バイオマス燃料噴燃ポンプで３０で送出された約６０℃のバイオマス燃料例えばパームステアリンとが供給される。約６０℃のＨＰＰ重油と約６０℃のパームステアリンとを混合して得られたバイオマス重油混合燃料は、前述したように混合性が良く流動性も良いため、石油火力発電所のバーナ２２で混焼する場合には取り扱いやすい。また、層状に分離しないため、混合機３２での攪拌によりバイオマス重油混合燃料の発熱量の部分的なばらつきも低減することができる。また、混合機３２に供給される液体のバイオマス燃料の計測は容易に行えるので、発電した電力量のバイオマス燃料（パームステアリン）の比率をＲＰＳ法の義務履行量としてカウントすることも容易となる。
【００２８】
図３は本発明の第２の実施の形態に係わるバイオマス混合燃料燃焼装置の他の一例を示す構成図である。図２に示したバイオマス混合燃料燃焼装置に対し、混合機３２をＨＰＰ重油供給系統のＨＰＰ重油サービスタンク１２の前段に設けたものである。図２と同一要素には同一符号を付し重複する説明は省略する。
【００２９】
図３に示すように、バイオマス燃料サービスタンク２９に貯蔵されたバイオマス燃料は、バイオマス燃料注入ライン１３のバイオマス燃料噴燃ポンプ３０及びバルブ３１を介して混合機３２に供給され、この混合機３２でＨＰＰ重油とバイオマス燃料とが混合されてバイオマス重油混合燃料となり、ＨＰＰ重油サービスタンク１２に供給される。そして、ＨＰＰ重油サービスタンク１２からボイラ２１のバーナ２２にバイオマス重油混合燃料が供給される。
【００３０】
図４は本発明の第２の実施の形態に係わるバイオマス混合燃料燃焼装置の別の他の一例を示す構成図である。図２に示したバイオマス混合燃料燃焼装置に対し、混合機３２をＨＰＰ重油供給系統のＨＰＰ重油サービスタンク１２の後段に設けたものである。図２と同一要素には同一符号を付し重複する説明は省略する。
【００３１】
図４に示すように、バイオマス燃料サービスタンク２９に貯蔵されたバイオマス燃料は、バイオマス燃料注入ライン１３のバイオマス燃料噴燃ポンプ３０及びバルブ３１を介して混合機３２に供給され、この混合機３２でＨＰＰ重油とバイオマス燃料とが混合されてバイオマス重油混合燃料となり、ＨＰＰ重油噴燃ポンプ１９でバルブ２０を介してボイラ２１のバーナ２２にバイオマス重油混合燃料が供給される。
【００３２】
このように、第２の実施の形態では、ＨＰＰ重油タンク１６からバーナ２２までのＨＰＰ重油供給系統のいずれかの箇所にバイオマス燃料サービスタンク２９からバイオマス燃料を供給するバイオマス燃料注入ライン１３を設け、そのバイオマス燃料注入ライン１３とＨＰＰ重油供給系統とが合流する箇所に混合機３２を設けてＨＰＰ重油とバイオマス燃料とを混合させる。また、バイオマス燃料としては植物性のパームステアリンだけでなく、動物性の油脂、例えば豚脂を生成したラードを用いることも可能である。
【００３３】
第２の実施の形態によれば、ＨＰＰ重油タンク１６からバーナ２２までのＨＰＰ重油供給系統のいずれかの箇所にバイオマス燃料を注入できるので、石油火力発電所の大幅な改造を伴うことなく、バイオマス燃料を石油火力発電所で容易に使用できる。
【図面の簡単な説明】
【００３４】
【図１】本発明の第１の実施の形態に係わるバイオマス混合燃料燃焼装置の構成図。
【図２】本発明の第２の実施の形態に係わるバイオマス混合燃料燃焼装置の構成図。
【図３】本発明の第２の実施の形態に係わるバイオマス混合燃料燃焼装置の他の一例を示す構成図。
【図４】本発明の第２の実施の形態に係わるバイオマス混合燃料燃焼装置の別の他の一例を示す構成図。
【符号の説明】
【００３５】
１１…バイオマス燃料タンク、１２…ＨＰＰ重油サービスタンク、１３…バイオマス燃料注入ライン、１４…バイオマス燃料移送ポンプ、１５…バルブ、１６…ＨＰＰ重油タンク、１７…ＨＰＰ重油移送ポンプ、１８…バルブ、１９…ＨＰＰ重油噴燃ポンプ、２０…バルブ、２１…ボイラ、２２…バーナ、２３…ＬＰＰ重油タンク、２４…ＬＰＰ重油移送ポンプ、２５…バルブ、２６…ＬＰＰ重油サービスタンク、２７…ＬＰＰ重油噴燃ポンプ、２８…バルブ、２９…バイオマス燃料サービスタンク、３０…バイオマス燃料噴燃ポンプ、３１…バルブ、３２…混合機
【図１】
2007255773.tif 000003
【図２】
2007255773.tif 000004
【図３】
2007255773.tif 000005
【図４】
2007255773.tif 000006